(57)【特許請求の範囲】
【請求項１】
絶縁性基板に横断状に装着された杆状導通片を備え、該絶縁性基板に形成された複数のリード線挿入孔から挿入されたリード線を杆状導通片に電気的に接続することにより、各リード線相互を結線する端子台において、
絶縁性基板には、昇降杆部と、傾動杆部とが、両者を屈曲可能に結合する可撓性薄肉節を介して略Ｌ字状に一体形成されてなる樹脂製のリード線挿入確認片が装着され、
前記昇降杆部は、リード線挿入孔と略平行な内外方向へ移動可能となるように絶縁性基板に保持されて、その外端に有する表示端部を、絶縁性基板に形成した挿通孔から外方に突出させて外方から視認可能とする指標位置と、該表示端部を絶縁性基板の内方に退避させる非指標位置とに移動するものであり、
前記傾動杆部は、支軸により絶縁性基板に対して傾動可能に軸支され、且つ所定の非傾動位置に付勢されて、支軸から一方へ延出する受圧端部をリード線挿入孔の奥部に位置させるものであって、
リード線がリード線挿入孔の奥まで挿入されると、リード線の挿入端によって受圧端部が押圧されて、傾動杆部が受圧端部をリード線挿入方向に傾動した傾動位置に移動することにより、昇降杆部が薄肉節を介して指標位置に押し出されるようにしたことを特徴とする端子台。
【請求項２】
前記傾動杆部が絶縁性基板に対して軸支される部分には、傾動杆部を非傾動位置に付勢する金属製のねじりコイルバネが設けられていることを特徴とする請求項１記載の端子台。
【請求項３】
前記傾動杆部には、絶縁性基板と当接する可撓性の付勢杆部が一体形成されており、該付勢杆部は、傾動杆部の傾動位置において、絶縁性基板に押圧されて撓み、その弾性力によって、傾動杆部を非傾動位置に付勢するものであることを特徴とする請求項１記載の端子台。
【請求項４】
リード線挿入確認片は、蛍光色の樹脂材よりなるものであることを特徴とする請求項１乃至請求項３のいずれかに記載の端子台。
【請求項５】
前記表示端部は、横断面がＴ字状をなすものであることを特徴とする請求項１乃至請求項４のいずれかに記載の端子台。
【発明の詳細な説明】
【技術分野】
【０００１】
本発明は、複数のリード線を、杆状導通片を介して電気的に接続するための端子台に関する。
【背景技術】
【０００２】
絶縁性基板に横断状に装着された杆状導通片を備え、該絶縁性基板に形成された複数のリード線挿入孔から挿入されたリード線を杆状導通片に電気的に接続することにより、各リード線相互を結線する端子台は種々提案されている。これらの端子台は、通常、前後に重ね合わせられて、据付レール上に保持されることにより、集合端子台を構成する（特許文献１参照）。
【０００３】
かかる端子台は、リード線挿入孔にリード線を挿入して所定操作を行うと、挿入したリード線が杆状導通片に接続される。このため、端子台の各リード線挿入孔にリード線を挿入することによって、各リード線を、杆状導通片を介して結線することができる。また、集合端子台に対してはショートバーと呼ばれる器具を装着し、所要の端子台の杆状導通片相互を短絡することによって、異なる端子台に接続したリード線相互も結線可能となっている。
【０００４】
リード線挿入孔に挿入されたリード線を杆状導通片と接続する機構は、金属のバネ作用を用いた圧接やネジによる締結等が利用される。また、端子台によっては、リード線の端部に所定圧着端子の固着を要するものや、リード線端部の導線の露出を要するものなどがある。
【０００５】
ところで、こうした端子台では、リード線を杆状導通片に接続する際に、リード線の挿入端をリード線挿入孔の奥まで挿入しないと、リード線と杆状導通片とが適切に接続されず、結線不良となることがある。しかし、端子台の内部は、電気的絶縁のため外部から遮蔽されている。リード線が挿入孔の奥まで挿入されたか否かを挿入時の手応えによって判断することも可能ではあるが、挿入端が、リード線挿入孔の途中で引っ掛かることがあり、かかる判断方法は不確実であるという問題があった。
【０００６】
この問題を解決するために、リード線が奥まで挿入されたことを視認可能とするリード線挿入確認片を備えた端子台が提案されている（特許文献２，３参照）。このリード線挿入確認片は、絶縁性基板内に移動可能に保持されており、リード線がリード線挿入孔の奥まで挿入される際に、その一端（受圧端部）を該リード線の挿入端に押圧されることによって従動し、この従動に伴って、他端に具備する表示端部を外方から視認可能な位置に変位させるものである。すなわち、かかる構成によれば、作業者は、リード線の挿入端を視認することはできないものの、表示端部が視認可能となったことによって、該挿入端をリード線挿入孔の奥まで挿入したことを視覚的に把握することができる。
【０００７】
【特許文献１】特開平１０−２２４４５９号公報
【特許文献２】特開２００４−２０００９１号公報
【特許文献３】登録実用新案３０９８９３７号公報
【発明の開示】
【発明が解決しようとする課題】
【０００８】
ところで、上述の表示端部は、作業者が視認し易いように、作業者がリード線を挿入する側、すなわちリード線挿入孔の入口側から視認可能となるようになっている。また、リード線の挿入に応じて表示端部を視認可能とする構成としては、絶縁性基板に形成された開口部に表示端部を露出させる構成と、表示端部を該開口部から絶縁性基板の外方に突出させる構成とがある。
【０００９】
ここで、リード線挿入確認片を備えた端子台にあっては、その表示端部を、作業者が容易に視認でき、見落とし難いものとすることが望ましい。この観点では、リード線の挿入に応じて表示端部を絶縁性基板の外方に突出させる構成の方が優れている。絶縁性基板の開口部に露出させる構成と比べて、表示端部が、絶縁性基板に遮られることなく、多様な方向から視認可能となるためである。
【００１０】
一方で、端子台は、製造コストの削減が望まれており、リード線挿入確認片もなるべく簡易な構造とすることが求められている。しかしながら、表示端部を絶縁性基板の外方に突出させるようにした構成にあっては、その構造が複雑であり、部品点数が多く、組付工程が煩雑であるため、端子台の製造コストが高くなるといった問題がある。なぜなら、かかる構成では、リード線の挿入時に、挿入端によって受圧端部がリード線の挿入方向に押圧されるのに対して、表示端部はリード線挿入孔の入口側、すなわち、リード線の挿入方向と逆方向に直線的に突出させなければならないため、リード線挿入確認片には、リード線挿入孔の奥部に位置する受圧端部の従動を、表示端部の、逆方向への直線移動に変換する機構が必要となり、リード線挿入確認片の表示端部と受圧端部とを一体の部材で構成し難いからである。
【００１１】
本発明は、かかる現状に鑑みてなされたものであり、構造が簡単で、且つ表示端部を視認し易いリード線挿入確認片を備える端子台の提供を目的とする。
【課題を解決するための手段】
【００１２】
本発明は、絶縁性基板に横断状に装着された杆状導通片を備え、該絶縁性基板に形成された複数のリード線挿入孔から挿入されたリード線を杆状導通片に電気的に接続することにより、各リード線相互を結線する端子台において、絶縁性基板には、昇降杆部と、傾動杆部とが、両者を屈曲可能に結合する可撓性薄肉節を介して略Ｌ字状に一体形成されてなる樹脂製のリード線挿入確認片が装着され、前記昇降杆部は、リード線挿入孔と略平行な内外方向へ移動可能となるように絶縁性基板に保持されて、その外端に有する表示端部を、絶縁性基板に形成した挿通孔から外方に突出させて外方から視認可能とする指標位置と、該表示端部を絶縁性基板の内方に退避させる非指標位置とに移動するものであり、前記傾動杆部は、支軸により絶縁性基板に対して傾動可能に軸支され、且つ所定の非傾動位置に付勢されて、支軸から一方へ延出する受圧端部をリード線挿入孔の奥部に位置させるものであって、リード線がリード線挿入孔の奥まで挿入されると、リード線の挿入端によって受圧端部が押圧されて、傾動杆部が受圧端部をリード線挿入方向に傾動した傾動位置に移動することにより、昇降杆部が薄肉節を介して指標位置に押し出されるようにしたことを特徴とする端子台である。ここで、リード線の端部に圧着端子を固着したものを接続する端子台にあっては、リード線の挿入端は圧着端子を指すものである。
【００１３】
かかる構成にあっては、受圧端部を備える傾動杆部と、表示端部を備える昇降杆部とが、可撓性の薄肉節を介して連結されるため、リード線挿入確認片は、一体の樹脂材で構成されるものであっても、薄肉節の撓む範囲で、傾動杆部と昇降杆部とが異なる方向に移動することができ、これにより薄肉節を中心として、傾動杆部と昇降杆部とが相対傾動可能となる。
【００１４】
このため、本発明では、リード線挿入確認片を、その傾動杆部を絶縁性基板に傾動可能に保持すると同時に、昇降杆部をリード線挿入方向に沿って直線的に移動可能に保持することにより、リード線の挿入に伴う傾動杆部の傾動を、薄肉節を介して、昇降杆部の直線移動に変換して、表示端部を絶縁性基板の外方に突出させることができる。
【００１５】
このように、本発明では、リード線挿入確認片が、一体の樹脂材により構成される簡単なものでありながら、リード線の挿入に応じて、その表示端部を、リード線挿入孔の入口側から絶縁性基板の外方に突出させることができる。
【００１６】
ここで、前記傾動杆部が絶縁性基板に対して軸支される部分に、傾動杆部を非傾動位置に付勢する金属製のねじりコイルバネが設けられている構成が提案される。リード線を端子台に接続した場合、傾動杆部はリード線の挿入端によって傾動位置に保持され続けることとなるが、金属製のねじりコイルバネはへたり難いものであるため、本構成にあっては、接続したリード線を端子台から外した時に、ねじりコイルバネによって傾動杆部を非傾動位置に確実に復帰させることが可能となる。
【００１７】
一方、前記傾動杆部には、絶縁性基板と当接する可撓性の付勢杆部が一体形成されており、該付勢杆部は、傾動杆部の傾動位置において、絶縁性基板に押圧されて撓み、その弾性力によって、傾動杆部を非傾動位置に付勢するものである構成も提案される。かかる構成では、傾動杆部が傾動位置に変位すると、撓んだ付勢杆部によって、傾動杆部が非傾動位置に復帰するよう付勢されることとなる。すなわち、かかる構成では、傾動杆部を非傾動位置に復帰させる手段がリード線挿入確認片と一体形成されるため、端子台の部品点数を削減することができると共に、絶縁性基板に各種部品を組み付ける工程を一層簡略化することができる。
【００１８】
また、リード線挿入確認片が、蛍光色の樹脂材よりなるものである構成も提案される。ここで、蛍光色の樹脂材とは、蛍光顔料等を含有することによって蛍光色を呈する樹脂材を指しものである。かかる構成によれば、表示端部が蛍光色を呈することとなり、外方から突出させた際に、表示端部を明瞭に視認させることが可能となる。
【００１９】
さらに、表示端部は、横断面がＴ字状をなすものである構成も提案される。ここで、表示端部の横断面とは、昇降杆部の移動方向と直行する方向の断面を指す。従来、絶縁性基板の外方に突出する表示端部は平板状であったため、見る方向によっては視認され得る部分が細く、小さなものとなる場合があり、見落とし易いものとなっている。これに対して本構成では、表示端部の横断面がＴ字状であるため、表示端部の大きさが見る方向によってそれほど変化せず、どのような方向からでも見落とされ難い。
【発明の効果】
【００２０】
以上に述べたように、本発明は、リード線挿入孔と略平行な内外方向へ移動可能な昇降杆部と、支軸により絶縁性基板に対して傾動可能に軸支される傾動杆部とが、両者を屈曲可能に結合する可撓性薄肉節を介して略Ｌ字状に一体形成されてなるリード線挿入確認片を備え、リード線がリード線挿入孔の奥まで挿入されると、リード線の挿入端によって受圧端部が挿入方向へ押圧されて傾動杆部が支軸を中心に回動して傾動位置となることにより、昇降杆部が薄肉節を介して指標位置に押し出されるようにしたことを特徴とする端子台であるから、リード線挿入確認片が、一体の樹脂材により構成される簡単なものであっても、リード線の挿入に応じて、その表示端部を絶縁性基板の外方に突出させることが可能となり、リード線挿入片の構造が簡単で、且つ表示端部の視認性のよい端子台を実現できる。
【００２１】
また、傾動杆部が軸支される部分に、傾動杆部を非傾動位置に付勢する金属製のねじりコイルバネが設けられている場合には、接続したリード線を端子台から外した時に、傾動杆部を非傾動位置に確実に復帰させることができるため、長期の使用や、繰返しの使用に対して強いといった利点がある。
【００２２】
一方、傾動杆部に、傾動杆部を非傾動位置に付勢する可撓性の付勢杆部を一体形成した場合には、部品点数をさらに減少させることができ、製造コストを抑えることができると共に、組付工程も簡略化できる。
【００２３】
また、リード線挿入確認片が蛍光色の樹脂材よりなる場合には、表示端部の視認性を一層高めることができる。
【００２４】
さらに、表示端部の横断面がＴ字状である場合には、表示端部が外方に突出した際に見落とされ難いといった利点がある。
【発明を実施するための最良の形態】
【００２５】
本発明の実施形態を、以下の実施例に従って説明する。
図１は、本発明の一実施例に係る端子台１を示す。端子台１は、ポリカーボネイト等の絶縁性樹脂材料によって板状に形成された左右対称の絶縁性基板２（図６，７参照）を主体部とする。この絶縁性基板２には、杆状導通片２０が横断状に装着される。また、端子台１の両側には杆状導通片２０にリード線８０を接続するための接続部３，３が配設される。この接続部３には、リード線挿入孔１１が形成されており、本実施例の端子台１では、リード線８０の端部に予め固定した圧着端子８１をリード線挿入孔１１の奥まで挿入することによって、リード線８０が杆状導通片２０と電気的に接続されることとなり、各接続部３に接続したリード線８０相互が杆状導通片２０を介して結線される。なお、本実施例の説明では、図１に示される側を端子台１の正面側、図１中の上方を端子台１の上方として説明する。
【００２６】
端子台１は、図２，３に示すように、前後方向に重ねられて集合端子台７２を構成し、据付レール７０に連結される。さらに、この集合端子台７２を据付レール７０上で固定するために、該据付レール７０に固定金具７６，７６が螺子７７によって固定される。
【００２７】
端子台１は、図４，５に示すように、上記絶縁性基板２と、杆状導通片２０と、圧着端子（リード線の挿入端）８１を杆状導通片２０に圧接させる板バネ３０，３０と、本発明に係るリード線挿入確認片４０，４０と、該リード線挿入確認片４０を付勢するねじりコイルバネ５０，５０とで構成される。
【００２８】
絶縁性基板２は、図６，７に示すように、背板１０から所定肉厚の画成壁４を突出させることにより、杆状導通片２０や板バネ３０等を装着する座定溝面５などを正面側で開放状に形成してなるものである。絶縁性基板２の上面は、中央から両側へ、等角度で緩やかに傾斜したへ字状をなし、その中央には、結線内容を記す記名板７４（図１参照）を取り付ける記名板装着部７が設けられる。記名板装着部７の両側には、ショートバー７３を挿入するためのショートバー挿入孔１２，１２が下方に向けて形成される。さらに、絶縁性基板２の上面両側部では、画成壁４によって接続部３の上面側が区画されており、該画成壁４に形成された各開口部から、挿通孔１６、ドライバー挿入孔１７、リード線挿入孔１１が下方に向けて形成される。
【００２９】
挿通孔１６は、後述するリード線挿入確認片４０の表示端部４７を挿通させて、絶縁性基板２の外方へ突出可能とするものであり、表示端部４７の横断面形状と同じＴ字状をなす。ドライバー挿入孔１７は、後述する板バネ３０の押圧端部３３を上方から臨む位置に形成されており（図４参照）、ドライバー挿入孔１７にドライバー等の器具を挿入して押圧端部３３を押下げることによって、押圧端部３３によって係止された圧着端子８１を引抜き可能とする。
【００３０】
リード線挿入孔１１は、絶縁性基板２の上面に形成された円形の開口部から下方に向けて形成される。このリード線挿入孔１１の下部は、その内側が開放して、座定溝面５の他の領域と一体となっており、後述するように、座定溝面５に組み付けられた板バネ３０の押圧端部３３やリード線挿入確認片４０の受圧端部４８などが、リード線挿入孔１１内に突出する。
【００３１】
また、絶縁性基板２の座定溝面５内には、リード線挿入確認片４０を軸支するための支軸１３，１３や、ねじりコイルバネ５０の一端を支持するバネ支持柱１４が背板１０から突出状に形成される。また、画成壁４の前面の適宜位置には連結孔１９が形成され、さらに背板１０の、該連結孔１９と対向する位置には、該連結突起（図示省略）が形成される。この連結孔１９に連結突起を嵌入することにより、端子台１相互を前後に重ね合わせ状に連結できる。なお、上記集合端子台７２にあっては、最端部の端子台１の画成壁４に、端子台１とほぼ同一外形の端板７５が被着されて、該端子台１正面の開放部が閉塞される（図２，３参照）。また、絶縁性基板２の底部には、据付レール７０の連結突部７１（図１参照）と係合するための連結片１５，１５が形成される。
【００３２】
また、杆状導通片２０は、横長杆状の銅製板片をプレス加工してなるものであり、図１に示すように、座定溝面５に差し渡し状に装着される。この杆状導通片２０は、図５，８に示すように、絶縁性基板２の背板１０と平行となり、座定溝面５を覆うように設けられる主板部２１を主体とするものであり、該主板部２１からは、圧着端子８１と接続するリード線接続部２２，２２と、板バネ３０を保持する板バネ保持部２３，２３と、ショートバー７３と接続するためのショートバー接続部２４とが、背板１０に向けて突出するように設けられる。また、主板部２１の各所には、前記座定溝面５に設けられた支軸１３やバネ支持柱１４と嵌合する貫通孔２５が形成される。
【００３３】
板バネ３０は、図５に示すように、細長金属薄片をへ字状に屈曲させてなるものであり、端子台１に組み付けられた状態では、図９に示すように、一側の保持端部３１と屈曲部３２とを杆状導通片２０の板バネ保持部２３によって支持されて、他側の押圧端部３３をリード線挿入孔１１に突出させる。この押圧端部３３は、リード線挿入孔１１を横断し、その先端を杆状導通片２０のリード線接続部２２に圧接するようになっており、図１０に示すように、押圧端部３３を押下げるようにして、圧着端子８１をリード線挿入孔１１に挿入すると、圧着端子８１は、押圧端部３３によってリード線接続部２２に押し付けられることとなって、杆状導通片２０と電気的に接続すると共に、引抜き困難に保持される。
【００３４】
以下に本発明の要部であるリード線挿入確認片４０について説明する。
リード線挿入確認片４０は、ナイロン等の樹脂材によって構成されるものであって、図１１，１２に示すように、上下に長尺な昇降杆部４１と左右に長尺な傾動杆部４２とが、可撓性の薄肉節４３を介して略Ｌ字状に一体形成されてなるものである。
【００３５】
昇降杆部４１は、その下端を薄肉節４３と連結するとともに、その上端を絶縁性基板２の外方に突出させる表示端部４７とする。この表示端部４７は、その横断面がＴ字状をなすものであり、後述するように、絶縁性基板２の挿通孔１６に挿通されて、昇降杆部４１の外方（上方）移動に伴い絶縁性基板２の外方に突出して、外方から視認可能となる。また、表示端部４７の直下部には、表示端部４７の突出量を制限するための係止部４９が設けられる。なお、本実施例にあっては、表示端部４７の視認性を向上させるため、リード線挿入確認片４０を構成する樹脂材に蛍光顔料を混合し、表示端部４７が蛍光色を呈するようにしている。
【００３６】
傾動杆部４２の中央部分には、絶縁性基板２の支軸１３を挿通するための軸孔４４が設けられる。そして、傾動杆部４２は、該軸孔４４から一側（図１１左側）に延出する端部を薄肉節４３と連結するとともに、他方に延出する端部を圧着端子８１に押圧される受圧端部４８とする。この受圧端部４８には、横断状の横溝４６が形成されており、圧着端子８１の押圧によって受圧端部４８が後述の傾動位置βまで傾動した状態で、受圧端部４８がこの横溝４６の内側に撓むことによって、圧着端子８１をさらに奥まで押し入れることを可能としている。また、軸孔４４の周囲には、後述するねじりコイルバネ５０を装着するためのバネ装着溝４５が形成される。
【００３７】
薄肉節４３は、０．２ｍｍ程度の厚みをなすものであり、昇降杆部４１や傾動杆部４２に比べて薄く、撓み易いものである。このため、昇降杆部４１と傾動杆部４２とは、薄肉節４３を介して連動すると共に、薄肉節４３の撓む範囲内で相対傾動することができ、夫々が異なる方向に移動可能となっている。
【００３８】
図９に示すように、リード線挿入確認片４０が絶縁性基板２に組み付けられた状態では、昇降杆部４１は、画成壁４と、杆状導通片２０の板バネ保持部２３との間に保持されて、リード線挿入孔１１と略平行な上下方向（内外方向）へ移動可能となっている。また、昇降杆部４１は、その上端（外端）の表示端部４７を、絶縁性基板２に形成された挿通孔１６に内嵌させている。そして、上方（外方）に変位した指標位置δでは、表示端部４７を挿通孔１６から外方に突出させて外方から視認可能とすると共に、下方（内方）に変位した非指標位置γでは、表示端部４７を挿通孔１６内に退避させて外方から視認困難とする。
【００３９】
一方、傾動杆部４２は、図９に示すように、その受圧端部４８をリード線挿入孔１１の奥部に位置させると共に、その軸孔４４を、絶縁性基板２の支軸１３に外嵌するように取り付けられており、受圧端部４８が、リード線挿入孔１１の奥部内で、上方に変位する非傾動位置αと、下方に変位する傾動位置βとに傾動するようになっている。
【００４０】
薄肉節４３は、図９に示すように、絶縁性基板２に組み付けられた状態で、昇降杆部４１と傾動杆部４２とを連係し、連動させると共に、自らが撓むことによって、傾動杆部４２の傾動を、昇降杆部４１の直線的な上下移動に変換する働きをする。ここで、リード線挿入確認片４０は、傾動杆部４２の非傾動位置αでは、昇降杆部４１を非指標位置γに位置させて、傾動杆部４２の傾動位置βでは、昇降杆部４１は指標位置δに位置させるように絶縁性基板２に保持されている。
【００４１】
また、傾動杆部４２のバネ装着溝４５には、図９に示すように、ねじりコイルバネ５０が装着される。このねじりコイルバネ５０は、そのコイル部分を支軸１３に外嵌すると共に、その一端を絶縁性基板２のバネ支持柱１４と当接させて、その弾性力によって、傾動杆部４２を常に非傾動位置α側に付勢する。
【００４２】
次に、接続部３へのリード線８０の結線と、それに伴うリード線挿入確認片４０の移動態様について図１０を参照して説明する。
【００４３】
リード線８０の非接続時には、図１０（イ）に示すように、傾動杆部４２は、ねじりコイルバネ５０に付勢されて非傾動位置αに保持される。これにより、連係する昇降杆部４１は非指標位置γに保持されることとなり、その表示端部４７は挿通孔１６内に退避して視認困難となっている。また、板バネ３０は、その押圧端部３３を、リード線挿入孔１１に突出させて、リード線接続部２２に当接させている。
【００４４】
この状態で、リード線８０に固着された圧着端子８１をリード線挿入孔１１に押し入れていくと、板バネ３０の押圧端部３３が、圧着端子８１の先端に押下げられて、圧着端子８１を側方から押圧し、圧着端子８１をリード線接続部２２に圧接させる。
【００４５】
そして、かかる状態から、さらに圧着端子８１を押し入れると、圧着端子８１の先端が、ねじりコイルバネ５０の付勢力に抗して受圧端部４８を押下げることとなり、これにより、傾動杆部４２が非傾動位置αから傾動位置βに移動する。
【００４６】
そして、この傾動杆部４２の傾動に伴って、昇降杆部４１は非指標位置γから指標位置δに押し上げられることとなり、表示端部４７が挿通孔１６から絶縁性基板２の外方に突出して、外方から容易に視認可能となる。このため、リード線８０を挿入した作業者は、挿通孔１６から突出した表示端部４７を視認することで、圧着端子８１がリード線挿入孔１１の奥まで挿入されて、リード線８０を杆状導通片２０に適切に接続できたことを理解できる。
【００４７】
このように、本実施例に係るリード線挿入確認片４０は、一体の樹脂材によって構成されるものであるが、薄肉節４３を撓ませることによって、圧着端子８１の挿入に伴う傾動杆部４２の傾動を、昇降杆部４１の直線的な上方移動に変換し、表示端部４７を絶縁性基板２の外方に突出させることができる。すなわち、本実施例の端子台１は、リード線挿入確認片４０の製造コストが低廉であり、また、絶縁性基板２への組付けが容易であるという利点と、リード線８０の挿入時に、表示端部４７を明瞭に視認できるという利点を併せ持つものである。
【００４８】
また、上記実施例では、リード線挿入確認片４０の傾動杆部４２を、金属製のねじりコイルバネ５０によって非傾動位置αに付勢している。一般的に、金属製のねじりコイルバネはへたり難いものであるため、本構成では、傾動杆部４２を長期間傾動位置βに保持したり、繰返し傾動させたりしても、付勢力が衰え難くいといった利点がある。
【００４９】
また、リード線挿入確認片４０は、蛍光色の樹脂材よりなるものであるから、表示端部４７が挿通孔１６から外方に突出した際に視認され易いといった利点もある。
【００５０】
さらに、リード線挿入確認片４０の表示端部４７が、横断面がＴ字状をなすものであるため、表示端部４７が外方に突出した際に、表示端部４７の大きさが見る角度によって大きく変化しないため、表示端部４７が見落とされ難いといった利点がある。
【００５１】
図１３は、上記実施例から、傾動杆部４２を非傾動位置αに付勢する付勢手段を変更した変形例を示すものである。本変形例の端子台１ａでは、付勢手段としてねじりコイルバネを配設する替わりに、リード線挿入確認片４０ａの傾動杆部４２に、可撓性の付勢杆部５１が一体形成される。
【００５２】
付勢杆部５１は、傾動杆部４２の受圧端部４８の下部から図中の左方に向けて延成されており、その先端部を絶縁性基板２の画成壁４に当接させる。この付勢杆部５１は、傾動杆部４２の非傾動位置αでは、ほとんど撓みなく保持されるが（図１３（イ）参照）、傾動杆部４２が傾動位置βに移動すると、画成壁４に押圧されることによって撓みが生じ、その弾性力によって傾動杆部４２を非傾動位置α側に付勢する（図１３（ロ）参照）。このように、かかる変形例にあっては、付勢手段が、リード線挿入確認片４０と一体形成されるため、部品点数のさらなる削減や、組付工程の一側の簡略化が可能となる。
【００５３】
尚、本発明の端子台は、上述した実施の形態に限定されるものではなく、本発明の要旨を逸脱しない範囲内において種々変更を加え得ることは勿論である。例えば、実施例の端子台は、リード線挿入孔にリード線の端部に固着した圧着端子を挿入するものであるが、リード線挿入孔にリード線の端部を直接挿入する端子台にも適用可能である。
【００５４】
また、実施例の端子台は、板バネの弾性によって、リード線の挿入端（圧着端子）を杆状導通片に圧接しているが、ネジ締めや、その他のバネ作用によってリード線の挿入端を接続・保持する端子台にも本発明を適用可能である。要は、リード線の挿入端をリード線挿入孔の奥まで挿入して、杆状導通片と接続・保持する端子台であれば、リード線と杆状導通片の接続態様は、本発明では特に限定されない。
【００５５】
また、上記実施例の端子台１は、左右に接続部３を一つずつ備えたものであるが、本発明は、一側あるいは両側に複数の接続部３を具備するものにも適用できる。
【図面の簡単な説明】
【００５６】
【図１】本発明の端子台１を示す正面図である。
【図２】端子台１を重ね合わせた集合端子台７２を示す平面図である。
【図３】端子台１を重ね合わせた集合端子台７２を示す側面図である。
【図４】絶縁性基板２や杆状導通片２０を切欠して示す端子台１の正面図である。
【図５】端子台１の分解斜視図である。
【図６】絶縁性基板２の正面図である。
【図７】絶縁性基板２の斜視図である。
【図８】杆状導通片２０の斜視図である。
【図９】絶縁性基板２や杆状導通片２０を切欠して示す接続部３の拡大図である。
【図１０】接続部３，３への結線態様を示す説明図（イ），（ロ）である。
【図１１】リード線挿入確認片４０の正面図である。
【図１２】リード線挿入確認片４０の斜視図である。
【図１３】変形例における、リード線挿入確認片４０ａの付勢態様を示す説明図である。
【符号の説明】
【００５７】
１，１ａ  端子台
２  絶縁性基板
１１  リード線挿入孔
１３  支軸
１６  挿通孔
２０  杆状導通片
４０，４０ａ  リード線挿入確認片
４１  昇降杆部
４２  傾動杆部
４３  薄肉節
４４  軸孔
４７  表示端部
４８  受圧端部
５０  ねじりコイルバネ
５１  付勢杆部
８０  リード線
８１  圧着端子（リード線の挿入端）
α    非傾動位置
β    傾動位置
γ    非傾動位置
δ    傾動位置
【図１】
0004486915.tif 000002
【図２】
0004486915.tif 000003
【図３】
0004486915.tif 000004
【図４】
0004486915.tif 000005
【図５】
0004486915.tif 000006
【図６】
0004486915.tif 000007
【図７】
0004486915.tif 000008
【図８】
0004486915.tif 000009
【図９】
0004486915.tif 000010
【図１０】
0004486915.tif 000011
【図１１】
0004486915.tif 000012
【図１２】
0004486915.tif 000013
【図１３】
0004486915.tif 000014